(57)【要約】【課題】ジェット風船を円滑に発射することができ、コストを低減することができるジェット風船発射装置を提供する。【解決手段】ジェット風船を膨らますための手動ポンプ２、手動ポンプ２の空気排出部１３であり、その中心に空気排出穴が形成された、前方Ａへ行くにしたがって縮径するテーパ状の風船連結部８、手動ポンプ２の本体収容部が形成され、下方へ突出する把持部１Ａが形成されるとともに、風船連結部８を前方Ａへ露出させる前面開口が形成された基体１、風船連結部８にジェット風船の口筒を外嵌した状態で、該口筒の外周から突出するフランジ部に前方から当接する当接面４Ｂを有するフック４が一端に形成され、把持部１Ａの前側に垂下するトリガ５が他端に形成されるとともに、中間部分が基体１に対して左右方向軸まわりに揺動可能に軸支されたストッパ３及びフック４を後方へ付勢する弾性付勢手段を備えた。【選択図】図１
0003144118.tif 000002
【実用新案登録請求の範囲】
【請求項１】
ジェット風船を膨らますために空気を入れる手動ポンプ又は電動ポンプと、
該ポンプの空気排出部又は該空気排出部に接続された部材からなる、その中心に空気排出穴が形成された、前方へ行くにしたがって縮径するテーパ状の風船連結部と、
前記ポンプの本体を収容する収容部が形成され、下方へ突出する把持部が形成されるとともに、前記風船連結部を前方へ露出させる前面開口が形成された基体と、
前記風船連結部にジェット風船の口筒を外嵌した状態で、該口筒の外周から径方向へ突出するフランジ部に前方から当接する当接面を有するフックが一端に形成され、前記把持部の前側に垂下するトリガが他端に形成されるとともに、中間部分が前記基体に対して左右方向軸まわりに揺動可能に軸支されたストッパと、
前記フックを後方へ付勢する弾性付勢手段と、
を備えたことを特徴とするジェット風船発射装置。
【請求項２】
前記フックが前方から見て略Ｕ字状の開口が形成されたものであり、該開口の周壁の後面を前記当接面としてなる請求項１記載のジェット風船発射装置。
【考案の詳細な説明】
【技術分野】
【０００１】
本考案は、ジェット風船を膨らますために空気を入れるポンプを備え、このポンプを用いて膨らました後のジェット風船をそのまま保持することができるとともに、ジェット風船を発射することができる、ジェット風船発射装置に関するものである。
【背景技術】
【０００２】
例えばプロ野球を球場で観戦する際の応援グッズとして、内部に空気を入れた状態で細長い略棒状の風船を空中に飛ばすジェット風船が広く使用されている。
このジェット風船は、人が空気入れ口を口に銜えて空気を入れ、膨らました状態とし、空気が流出しないように空気入れ口を塞いだ状態を保持し、タイミングを見計らって放すことにより空気入れ口から空気が噴出し、この噴出空気を推進力として飛翔するものであり、例えば、選手を鼓舞する目的で７回（ラッキーセブン）の攻撃前にジェット風船を一斉に飛ばすことや、勝利を祝う目的で試合終了後にジェット風船を一斉に飛ばすことが行われている。
【０００３】
このようなジェット風船は、上述のように人が口に銜えて空気を吹き込んで膨らました後に放して飛ばすのが一般的であるが、ジェット風船を膨らますために空気を入れる手動ポンプを備え、この手動ポンプを用いて膨らました後のジェット風船をそのまま保持することができ、操作レバー等の操作によりジェット風船を発射することができる、ジェット風船発射装置が提案されている（例えば、特許文献１及び２参照。）
【０００４】
【特許文献１】実公平１−１７３４３号公報
【特許文献２】実開平７−１９９４号公報
【考案の開示】
【考案が解決しようとする課題】
【０００５】
特許文献１のジェット風船発射装置は、ピストル状の外観をなし、その銃口に相当する円筒にジェット風船の口筒を内嵌するとともに、この口筒の外周に突設した係止フランジの左右に当接して係止する鉤形状のフックが形成された平面視略Ｌ字状の左右のストッパを基体に対して水平揺動可能に軸支し、引き金状の操作杆の操作に連動させて前記ストッパを左右に開くことにより、ジェット風船を発射する構成である。
したがって、前記口筒が前記円筒に内嵌された状態で係止フランジの左右が係止され、この状態で膨らんだジェット風船が基体に保持されており、この状態から前記操作により発射されるため、前記口筒とその外周側にある前記円筒の内周面との間で拗れが生じて円滑な発射ができない場合がある。
その上、ジェット風船を係止及び発射するための部品点数が多く、構成が比較的複雑であるため、信頼性が低下しやすいとともにコストが嵩むという問題点もある。
【０００６】
また、特許文献２のジェット風船発射装置は、ピストル状の外観をなし、その銃口に相当する開口内に設けた風船連結体の連結筒部にジェット風船の口筒を外嵌するとともに、この口筒の外周に突設した鍔の下部中央を係止する側面視略Ｌ字状のフックが形成されたストッパを基体に対して上下揺動可能に軸支し、ストッパの前記フックの他端に形成された引き金状の指掛け操作部を操作して前記ストッパを下方へ移動させることにより、ジェット風船を発射する構成である。
したがって、前記口筒が前記連結筒部に外嵌された状態で鍔の下部中央が係止され、この状態で膨らんだジェット風船が基体に保持されており、この状態から前記操作により発射されるため、前記口筒とその内周側にある前記連結筒部の外周面との間で拗れが生じて円滑な発射ができない場合がある。
その上、前記開口から基体内部に入った位置でストッパによりジェット風船を係止する構成であることから、ストッパによる係止部を視認することができないため、ジェット風船を係止する際の作業性が悪いという問題点もある。
【０００７】
そこで本考案が前述の状況に鑑み、解決しようとするところは、ジェット風船を円滑に発射することができ、コストを低減することができるとともに、ジェット風船を係止する際の作業性が良いジェット風船発射装置を提供する点にある。
【課題を解決するための手段】
【０００８】
本考案に係るジェット風船発射装置は、前記課題解決のために、ジェット風船を膨らますために空気を入れる手動ポンプ又は電動ポンプと、該ポンプの空気排出部又は該空気排出部に接続された部材からなる、その中心に空気排出穴が形成された、前方へ行くにしたがって縮径するテーパ状の風船連結部と、前記ポンプの本体を収容する収容部が形成され、下方へ突出する把持部が形成されるとともに、前記風船連結部を前方へ露出させる前面開口が形成された基体と、前記風船連結部にジェット風船の口筒を外嵌した状態で、該口筒の外周から径方向へ突出するフランジ部に前方から当接する当接面を有するフックが一端に形成され、前記把持部の前側に垂下するトリガが他端に形成されるとともに、中間部分が前記基体に対して左右方向軸まわりに揺動可能に軸支されたストッパと、前記フックを後方へ付勢する弾性付勢手段とを備えたものである。
【０００９】
ここで、前記フックが前方から見て略Ｕ字状の開口が形成されたものであり、該開口の周壁の後面を前記当接面としてなると好ましい。
【考案の効果】
【００１０】
本考案に係るジェット風船発射装置は、ジェット風船を膨らますために空気を入れる手動ポンプ又は電動ポンプと、該ポンプの空気排出部又は該空気排出部に接続された部材からなる、その中心に空気排出穴が形成された、前方へ行くにしたがって縮径するテーパ状の風船連結部と、前記ポンプの本体を収容する収容部が形成され、下方へ突出する把持部が形成されるとともに、前記風船連結部を前方へ露出させる前面開口が形成された基体と、前記風船連結部にジェット風船の口筒を外嵌した状態で、該口筒の外周から径方向へ突出するフランジ部に前方から当接する当接面を有するフックが一端に形成され、前記把持部の前側に垂下するトリガが他端に形成されるとともに、中間部分が前記基体に対して左右方向軸まわりに揺動可能に軸支されたストッパと、前記フックを後方へ付勢する弾性付勢手段とを備えたので、風船連結部にジェット風船の口筒を外嵌してフランジ部をフックにより前方から付勢することにより、手動ポンプ又は電動ポンプを用いてジェット風船を容易に膨らますことができるとともに、その状態を容易に保持することができ、その上、把持部を掴んでいる手でトリガを引く片手操作により、ジェット風船の発射を容易に行うことができる。
【００１１】
その上、風船連結部が前方へ行くにしたがって縮径するテーパ状であることから、通常は合成樹脂製であり形状精度にバラツキが生じやすいジェット風船の口筒（空気入れ口）に対して、テーパ状の風船連結部が内挿され、風船連結部のテーパ状の斜面がジェット風船の口筒に当接した状態で、前記斜面及び口筒が近づく方向へフック及び弾性付勢手段により付勢されるため、空気漏れが発生しにくく、手動ポンプ又は電動ポンプによるジェット風船への空気入れを効率的に行うことができる。
その上さらに、風船連結部が前方へ行くにしたがって縮径するテーパ状であることから、風船連結部とジェット風船の口筒との間で拗れが生じることがなく、ストッパのトリガを引いてフックを下方へ揺動させると、ジェット風船が、その口筒から噴出する空気の推力により、テーパ状の風船連結部から円滑に離反して発射される。
【００１２】
その上、ジェット風船を係止及び発射するための部品点数が少なく、構成が簡素であるため、コストを低減することができるとともに、信頼性が低下しにくい。
その上さらに、風船連結部が基体の前方へ露出しており、該風船連結部にジェット風船の口筒を外嵌した状態で、該口筒の外周から径方向へ突出するフランジ部も露出しており、さらに、該フランジ部を前方から押さえるフックも露出していることから、これらを目視して確認しながらジェット風船を係止することができるため、ジェット風船をジェット風船発射装置に係止する際の作業性が良い。
その上、電動ポンプを用いてジェット風船に空気を入れる構成によれば、ジェット風船に空気を入れる労力を無くすことができる。
【００１３】
また、前記フックが前方から見て略Ｕ字状の開口が形成されたものであり、該開口の周壁の後面を前記当接面としてなると、前記効果に加え、ジェット風船のフランジ部の左右及び下部に、フックの略Ｕ字状の開口の周壁の後面が当接し、弾性付勢手段によりフックを介してフランジ部が後方へ付勢されるため、ジェット風船が風船連結部に安定かつ確実に保持され、よって、手動ポンプ又は電動ポンプによりジェット風船へ空気を入れる際の空気漏れ発生抑止効果をさらに高めることができる。
【考案を実施するための最良の形態】
【００１４】
次に、本考案の実施の形態を添付図面に基づいて説明するが、本考案は、添付図面に示された形態に限定されず実用新案登録請求の範囲に記載の要件を満たす実施形態の全てを含むものである。
なお、本明細書においては、膨らんだジェット風船Ｂがジェット風船発射装置の基体１から離反する方向（図中矢印Ａ参照。）を前方、把持部１Ａが突出する方向を下方とし、左右は前方に向かって言うものとする。また、左方から見た図を正面図とする。
【００１５】
図１〜図４は本考案の実施の形態に係るジェット風船発射装置の構成説明図であり、図１は正面図、図２は縦断正面図、図３は左上前方から見た斜視図、図４は要部を拡大して示す縦断正面図であり、図１（ａ）はトリガ５を引かない状態を、図１（ｂ）、図３（ａ）及び図４（ａ）はトリガ５を引いた状態を、図３（ｂ）及び図４（ｂ）はジェット風船Ｂを取り付けた状態を、図３（ｃ）はジェット風船Ｂを膨らませた状態を示している。
【００１６】
図１及び図２に示すように、本考案の実施の形態に係るジェット風船発射装置は、ピストル状の外観をしており、ジェット風船Ｂを膨らますために空気を入れる手動ポンプ２、手動ポンプ２の空気排出部１３であり、その中心に空気排出穴１３Ａが形成された、前方へ行くにしたがって縮径するテーパ状の風船連結部８、手動ポンプ２の本体であるシリンダ１１を収容する収容部Ｓが形成され、下方へ突出する把持部１Ａが形成されるとともに、風船連結部８を前方へ露出させる前面開口１Ｂが形成された基体１、風船連結部８にジェット風船Ｂの口筒Ｃを外嵌した状態（例えば図３（ｂ）及び図４（ｂ）参照。）で、口筒Ｃの外周から径方向へ突出するフランジ部Ｄに前方から当接する当接面４Ｂを有するフック４が一端に形成され、基体１の把持部１Ａの前側に垂下するトリガ５が他端に形成されるとともに、中間部分が基体１に対して左右方向軸７まわりに揺動可能に軸支されたストッパ３、並びに、フック４を後方へ付勢する弾性付勢手段である引張コイルばね６を備えている。
また、ストッパ３のフックには、前方から見て略Ｕ字状の開口４Ａ（図３参照。）が形成されており、開口４Ａの周壁の後面を前記当接面４Ｂとしている。
【００１７】
ここで、基体１及びストッパ３は、例えばポリプロピレン、ポリアセタール、ポリエチレンテレフタレート、ナイロン又はＡＢＳ等の合成樹脂の射出成形により形成されることから、ストッパ３を基体１に対して左右方向軸７まわりに揺動可能に軸支する構成を、例えば左右二分割の基体１の左右内壁面に形成した穴に、ストッパ３と一体に左右に突設した軸を嵌合することにより構成することができるため、部品点数を削減することができる。
なお、風船連結部８は、本実施の形態のような手動ポンプ２の空気排出部１３そのものであってもよいし、空気排出部１３に接続された別部材により構成してもよい。
【００１８】
図２に示すように、基体１の前壁９及び後壁１０により仕切られた空間（収容部Ｓ）に手動ポンプ２のシリンダ１１が収容され、前壁の通孔９Ａを通って空気排出部１３が前方へ突出し、後壁１０の通孔１０Ａ及びその後側の後面開口１Ｃを通って手動ポンプ２のピストンロッド１２が後方へ突出するため、後述するようにジェット風船Ｂを取り付けた状態でピストンロッド１２を操作することにより、ジェット風船Ｂ内へ空気を送り込んで膨らますことができる。
また、引張コイルばね６の一方の端末６Ａがストッパ４のフック４の後側に掛止され、他方の端末６Ｂが基体１の前壁９に掛止されており、ストッパ３の上面３Ａが基体１の当止板１Ｄに当て止めされた状態で引張コイルばね６は弾性変形しているため、この弾性変形に基づく復元力によりフック４は後方へ付勢される。
【００１９】
次に、ジェット風船Ｂを膨らませる動作及びジェット風船Ｂを発射する動作について説明する。
図１（ｂ）及び図３（ａ）に示すようにトリガ５を引いてフック４を下方へ揺動させた状態で、図４（ａ）に示すようにジェット風船Ｂの口筒Ｃを風船連結部８へ外嵌する。
この状態でトリガ５を放すと、図３（ｂ）及び図４（ｂ）に示すように、ジェット風船Ｂのフランジ部Ｄの前面に、ジェット風船Ｂのゴムを介して、フック４の後面である当接面４Ｂが当接するとともに、前述の引張コイルばね６の弾性付勢力が後方へ作用するため、ジェット風船Ｂはジェット風船発射装置に抜け止めされた状態で保持される。
【００２０】
この状態で図３（ｂ）の実線及び二点鎖線のようにピストンロッド１２を前後方向へ繰り返し移動させる操作をすれば、手動ポンプ２により図４（ｂ）に示す空気入れ口Ｅからジェット風船Ｂ内へ空気が送り込まれ、図３（ｃ）に示すようにジェット風船Ｂを膨らますことができるとともに、ジェット風船Ｂは前述のように抜け止めされ、ジェット風船Ｂが膨らんだ状態が保持される。
この状態からタイミングを見計らってトリガ５を引くことにより、引張コイルばね６の弾性付勢力に抗してフック４が下方へ揺動するため、ジェット風船Ｂは図４に示す空気入れ口Ｅから噴出する空気を推進力として発射され飛翔する。
なお、通常は、ジェット風船発射装置を上へ向けた状態とし（例えば図３（ｃ）の矢印Ａが上方になるようにジェット風船発射装置を保持し）、この状態でトリガ５を引かれるため、ジェット風船Ｂは上空へ向かって発射される。
【００２１】
以上のような構成のジェット風船発射装置によれば、手動ポンプ２を用いてジェット風船Ｂを容易に膨らますことができるとともに、その状態を容易に保持することができ、その上、把持部１Ａを掴んでいる手でトリガ５を引く片手操作により、ジェット風船Ｂの発射を容易に行うことができる。
また、風船連結部８が前方へ行くにしたがって縮径するテーパ状であることから、通常は合成樹脂製であり形状精度にバラツキが生じやすいジェット風船Ｂの口筒Ｃに対して、テーパ状の風船連結部８が内挿され、風船連結部８のテーパ状の斜面が口筒Ｃに当接した状態で、前記斜面及び口筒Ｃが近づく方向へフック４及び引張コイルばね６により付勢されるため、空気漏れが発生しにくく、手動ポンプ２によるジェット風船Ｂへの空気入れを効率的に行うことができる。
さらに、風船連結部８が前方へ行くにしたがって縮径するテーパ状であることから、風船連結部８とジェット風船Ｂの口筒Ｃ（空気入れ口Ｅ）との間で拗れが生じることがなく、ストッパ３のトリガ５を引いてフック４を下方へ揺動させると、ジェット風船Ｂが、その口筒Ｃ（空気入れ口Ｅ）から噴出する空気の推力により、テーパ状の風船連結部８から円滑に離反して発射される。
【００２２】
さらにまた、例えば本実施の形態では、ジェット風船発射装置の構成部品が、例えば左右二分割の基体１、手動ポンプ２、ストッパ３、引張コイルばね６及び取付ねじにより構成され、部品点数が少なく構成が簡素であるため、コストを低減することができるとともに、信頼性が低下しにくい。
また、風船連結部８が基体１の前方へ露出しており、風船連結部８にジェット風船Ｂの口筒Ｃを外嵌した状態で、口筒Ｃの外周から径方向へ突出するフランジ部Ｄも露出しており、さらに、フランジ部Ｄを前方から押さえるフック４も露出していることから、これらを目視して確認しながらジェット風船Ｂを係止することができるため、ジェット風船Ｂをジェット風船発射装置に係止する際の作業性が良い。
【００２３】
さらに、フック４が前方から見て略Ｕ字状の開口４Ａが形成されたものであり、開口４Ａの周壁の後面を当接面４Ｂとしていることから、ジェット風船Ｂのフランジ部Ｄの左右及び下部に、フック４の略Ｕ字状の開口４Ａの周壁の後面が当接し、引張コイルばね６によりフック４を介してフランジ部Ｄが後方へ付勢されるため、ジェット風船Ｂが風船連結部８に安定かつ確実に保持され、よって、手動ポンプ２によりジェット風船Ｂへ空気を入れる際の空気漏れ発生抑止効果をさらに高めることができる。
【００２４】
以上の説明においては、手動ポンプ２を用いてジェット風船Ｂに空気を入れる場合について説明したが、手動ポンプ２の代わりに例えば電池により動作する電動ポンプを用いてジェット風船Ｂに空気を入れてもよく、このような電動ポンプを用いれば、ジェット風船Ｂに空気を入れる労力を無くすことができる。
【図面の簡単な説明】
【００２５】
【図１】本考案の実施の形態に係るジェット風船発射装置の正面図であり、（ａ）はトリガを引かない状態を、（ｂ）はトリガを引いた状態を示している。
【図２】同じく縦断正面図である。
【図３】同じく左上前方から見た斜視図であり、（ａ）はトリガを引いた状態を、（ｂ）はジェット風船を取り付けた状態を、（ｃ）はジェット風船を膨らませた状態を示している。
【図４】同じく要部を拡大して示す縦断正面図であり、（ａ）はトリガ５を引いた状態を、（ｂ）はジェット風船を取り付けた状態を示している。
【符号の説明】
【００２６】
Ａ  前方
Ｂ  ジェット風船
Ｃ  口筒
Ｄ  フランジ部
Ｅ  空気入れ口
Ｓ  収容部
１  基体
１Ａ  把持部
１Ｂ  前面開口
１Ｃ  後面開口
１Ｄ  当止板
２  手動ポンプ
３  ストッパ
３Ａ  上面
４  フック
４Ａ  開口
４Ｂ  当接面
５  トリガ
６  引張コイルばね（弾性付勢手段）
６Ａ，６Ｂ  端末
７  左右方向軸
８  風船連結部
９  前壁
９Ａ  通孔
１０  後壁
１０Ａ  通孔
１１  シリンダ
１２  ピストンロッド
１３  空気排出部
１３Ａ  空気排出穴
【図１】
0003144118.tif 000003
【図２】
0003144118.tif 000004
【図３】
0003144118.tif 000005
【図４】
0003144118.tif 000006